(57)【要約】本発明は、水又は任意の流体の流出を制御する、機械的機能を備えた、設置が容易な自動／手動デバイスに関する。これは、水又は他の任意の流体の流入に対応する、ねじ込み可能な取込ノズルを有する。このノズルは、必要に応じて、向きを変更し、デバイスを方向付けることができる。更に、デバイス内部には、逆の極性を有する二つのマグネットと、スプリングと、開口部付きの二枚のゴム膜と、開口部のないゴム膜と、前記膜の二つの支持部と、空気室と、手動起動式の金属リングと、ＯＮ−ＯＦＦの位置を有する機能機構と、注入する容器に隠れる銅製ダブルチューブと、銅製ダブルチューブを空気室に接続するゴムホースと、デバイスを操作するための「手動」及び「自動」位置を有する起動機構とが存在する。本発明の機能は、ゴムホースを経由して空気室に接続される銅製ダブルチューブを通じて、水の容器自体によって加えられる静水圧を利用し、マグネットを分離して、流体が流れる開口部を閉鎖するのに必要な圧力を加えることにより、容器と、水槽と、桶と、樽と、たらいと、浴槽と、トイレと、プールと、その他のリザーバとが満たされた時に、水又は他の任意の流体の流れを遮断する目的で準備される。【選択図】図３
2004522095.tif 000002
【特許請求の範囲】
【請求項１】
以下により構成されることを特徴とする水又は任意の流体の流出を制御する、機械的機能を備えた、設置が容易な自動／手動デバイス；
水又は他の流体を受け入れるねじ込み可能な開口部からなるＡ部と、望ましいあらゆる方向へ向けることが可能で、デバイスのハウジングＣに取り付けられるアーム形状のダクトＢとにより構成される、水又は他の任意の流体を受け入れる機構。
圧力室Ｗと連絡し、小直径開口部２を有する第一のゴム膜Ｄで、ゴム膜Ｄは固形物である部分Ｅによって支持され、これにより、バルブシートＹに対する確実なシールを形成でき、
水の流れによって駆動され、任意の種類の容器、水槽、桶、樽、たらい、浴槽、トイレ、プール、リザーバ、又は同様の入れ物を自動又は手動で満たす目的で、デバイスが接続される時、デバイスの流入部乃至流出部での水又は流体の流れを容易にする膜Ｄ及び部分Ｅ、
小直径開口部３を有する横方向の部分にあるダクトを経由して、圧力室Ｖ及びシリンダＺと連絡する圧力室Ｗ、
小直径開口部３を有する第二のゴム膜Ｆを収容する圧力室Ｖ、
部分Ｇによって支持され、これにより、バルブシートＸに対する確実なシールを形成できる第二のゴム膜Ｆ、
小開口部Ｈを有し、これにより、ダクトＳを通じて、水又は流体を流すことが可能となる部分Ｇ。
ピストンＪを収容するシリンダＺ、
小マグネットＫを収容し、外部下端部に小ゴム部Ｉを収容するピストンＪ、
円筒形マグネットＭに対して逆の極性で機能するため、小ゴム部Ｉは、ミリメータの穴Ｈの開閉を行うことができるシリンダＪ内の小マグネットＫ、
円筒形マグネットＭ及びシリンダＮの支持部の役割を果たしうる、静水圧に敏感な第三のゴム膜Ｌ、
スイッチＱと連絡する突出部を有するシリンダＮ、
ＯＮ又はＯＦＦの位置を示し、起動中又は停止中のデバイスで必要となる機能に従って移動させることができるスイッチＱ、
円形マグネットＭに圧力を加え、これを空気室Ｕの底部に移動させる、スプリング
2004522095.tif 000007
。
「手動」又は「自動」位置を選択するためにセレクタＰに取り付けられる金属リングＯ。
ダブルチューブＴ内部で静水圧を形成する水位を検出するダブルチューブＴ。
該ダブルチューブＴ内の静水圧は、突出ダクト１'を通じ、更にゴムホースＲを通じて、空気室Ｕの入口１に伝達され、これにより、両方のマグネットが移動する。
銅にすることが可能であり、或いは、部分的（内部又は外部）にのみ、プラスチック材料（ポリマ又はＰＶＣ）である他の部分を伴うダブルチューブＴの両チューブ、
注入する容器にデバイスを掛けるために使用できるフック、
開口部１'に加え、その上部に滑らかな穴を有しており、デバイスの同じ出口開口部に取り付け又は接続することが可能であるダブルチューブＴ。
【請求項２】
放射状に延びることで、いかなる工具も使用せず設置及び取り付けを容易にする漏れ防止式のネジで構成されるデバイス上部の水流入接合部を特徴とする、請求項１に記載の、水又は任意の流体の流出を制御する、機械的機能を備えた、設置が容易な自動／手動デバイス。
【請求項３】
デバイスに与えられる使用の必要性及び方向に応じて軸線方向で回転する、デバイスの横方向部分の水流入ダクトＢを特徴とする、請求項１に記載の、水又は任意の流体の流出を制御する、機械的機能を備えた、設置が容易な自動／手動デバイス。
【請求項４】
互いを跳ね返し、電子バルブのコイルの機能を行うために、異なる極性を有し、これにより、電気コイル及びコアの機能の代わりとなる両方のマグネット（円筒形のもの及びプラスチックで覆われた小形のもの）を特徴とする、請求項１に記載の、水又は任意の流体の流出を制御する、機械的機能を備えた、設置が容易な自動／手動デバイス。
【請求項５】
部分的ではなく全体的に機能する両方のマグネットを特徴とし、よって、フロートバルブ等の現在使用されている他の同様のデバイスの機能において生ずるように徐々にではなく、完全に水流が遮断される、請求項１及び４に記載の、水又は任意の流体の流出を制御する、機械的機能を備えた、設置が容易な自動／手動デバイス。
【請求項６】
電気、電池、太陽エネルギを使用せず、更に電気的、電子的、又は類似する機構、部品、接続を使用せずに機能する前記デバイスを特徴とする、請求項１に記載の、水又は任意の流体の流出を制御する、機械的機能を備えた、設置が容易な自動／手動デバイス。
【請求項７】
特定の定められた注入作業を行うために、任意のタイプのホースを前記水流入機構に接続可能であることを特徴とする、請求項１に記載の、水又は任意の流体の流出を制御する、機械的機能を備えた、設置が容易な自動／手動デバイス。
【請求項８】
機能が全体的及び完全に機械的であり、そのため、液体又は気体を問わず、あらゆる形態の可燃性燃料の取り扱いにおいて、安全に使用可能であることを特徴とする、請求項１に記載の、水又は任意の流体の流出を制御する、機械的機能を備えた、設置が容易な自動／手動デバイス。
【請求項９】
デバイスが０．０１乃至２００ｐｓｉで動作可能であることを特徴とする、請求項１に記載の、水又は任意の流体の流出を制御する、機械的機能を備えた、設置が容易な自動／手動デバイス。
【請求項１０】
デバイスでは、背面部において手動でのみＯＮ−ＯＦＦの起動が行われ、これにより流体が流れるようになり、手動での起動が行われなくなると、流体の流れは自動的に停止する；デバイスを取り付ける容器が満たされた後、対象となる流体（液体又は気体）を利用するために、デバイスを切断する必要がないことを特徴とする、請求項１に記載の、水又は任意の流体の流出を制御する、機械的機能を備えた、設置が容易な自動／手動デバイス。
【請求項１１】
手動位置にある時、前記デバイスを、任意のタイプ及びサイズのチューブと、任意のタイプの流体（液体及び気体）と、任意のレベルの動作圧とにより、フローバルブとして使用できる事実を特徴とする、請求項１、８、９、及び１０に記載の、水又は任意の流体の流出を制御する、機械的機能を備えた、設置が容易な自動／手動デバイス。
【請求項１２】
本デバイスや機能に対して同原理に基づく他のデバイスの為に、逆の極性を有する様々な形状及びサイズの三つ以上のマグネットが存在することも可能である；必要なデバイスのサイズ及び形状と、その可能な使用方法とに応じて、マグネットを、想像可能な異なるサイズ及び幾何学的形状にすることが可能であることを特徴とする、請求項１、４、及び５に記載の、水又は任意の流体の流出を制御する、機械的機能を備えた、設置が容易な自動／手動デバイス。
【発明の詳細な説明】
【発明の開示】
【０００１】
（発明の目的及び説明）
本発明の一次的な目的は、サービス提供企業が供給する飲用水サービスの全利用者に対して、簡単に設置可能で、一般的な容器と、水槽と、桶と、樽と、たらいと、浴槽と、トイレと、プールと、リザーバとを満たす際に、付き添わなくとも水道を使用できるようにするデバイスを提供することであり、これは、希望する水位に達した際に水流を停止させる安全性を備えており、そのため、水流を開始又は停止させるために人間が付き添う必要はなくなる。本発明の二次的な目的は、重要な液体の不必要な通過に対するシールとして全体的及び完全に機能することで、或いは、対象となる容器が満たされた場合に、忘却による水の浪費を回避するデバイスを提供することである。本発明の第三の同様に重要な目的は、給水が不足しており、たいていの場合、夜間に、数時間のみ給水が可能となるあらゆる家庭及び場所に、低コストのデバイスを提供し、毎日の消費量及び必要量に不可欠な容器を満たすのに付き添うために、人々が他の活動又は生理的要求、例えば、夜間の睡眠等を、おろそかにせずに済むようすることである。
【０００２】
（背景技術）
比較的安価な構成要素を使用した単純な流量制御システムは、数多く存在する。フィードバックによる制御の一例は、フロートを使用して水位を判定する水飲み用の桶である。水位がセットポイントを下回ると、フロートは、降下し、バルブを開き、桶への更なる水の流入が可能となる。水位が上昇すると、フロートも上昇し、一定のポイントに達すると、バルブは閉じ、水流が遮断される。こうしたフロートフローバルブの欠点は、バルブシートが水圧によって徐々に摩耗し、短期間で交換が必要となることである。本発明によって示されるデバイスでは、バルブシートの摩耗は存在せず、水又は他の任意の液体の流れの全てを開始又は閉鎖する機能を果たす。別の例は、米国特許第４，０９４，３２７号であり、これは、トイレタンク用バルブである（特許文献１）。前記バルブは、タンク内部で、垂直なカラムとして、水の流入ポイントにおいて支持される。更に単純なシステムも存在しており、これにおいては、フロートとして機能する銅又はプラスチックのボールが端部に付いたロッドを使用する。こうした全てのシステムは、多くの場合において、排水バルブの機能を妨害する。本発明は、タンクの外部に設置されるため、排水バルブは、妨害されることなく、タンクの内部にとどまる。別の例は、米国特許第４，５６６，４８４号であり、これにおいて、バルブは、液体中に沈んだ状態となる。本発明は、注入するタンクの側部に設置される（特許文献２）。別の例は、ＥＳ  ２  ０９５  ５３９であり、これは、貯蔵タンク遮断バルブである（特許文献３）。前記制御バルブは、二本のチューブと、更に複雑な機構とを使用する。本発明は、タンクの外部に設置され、流体を導く一本のチューブのみを使用する。その結果、本発明は、電子バルブの代わりに使用される任意の複雑な機構の代用となる。電子バルブは、可燃性燃料が存在するような一部のケース、或いは、人間が水に浸かる入れ物又は水槽のケースにおいて不適切である。電子バルブは、電気又は電子水位ガード及び水位の高低を検出する電極によって制御される。本発明は、電子バルブの機能及び単純な機構を有する。前記その他の目的を満たすために、本発明は、水その他の任意の液体の流出部に簡単に設置可能なデバイスとなっており、これは、任意の種類の容器、水槽、桶、樽、たらい、浴槽、トイレ、プール、リザーバ、又は同様の入れ物を、自動又は手動で満たすために、電気又は電子エネルギの任意のソースと、充電式又は標準の電池と、太陽エネルギと、他の任意の電源機構とを必要とせず、これらを使用することもなく、更に、任意のガーデンホース又は他のタイプのホースに接続することが可能である。
【０００３】
【特許文献１】
米国特許第４，０９４，３２７号
【特許文献２】
米国特許第４，５６６，４８４号
【特許文献３】
ＥＳ  ２  ０９５  ５３９号
【０００４】
（図面の簡単な説明）
本発明が意味する利点の前記及びその他の目的は、以下の詳細な説明を参照し、添付の図と併せて考慮することで、容易に明らかとなる。
【０００５】
図１は、水又は任意の流体の流出を制御する、機械的機能を備えた、設置が容易な自動／手動デバイスのレイアウト及び断面図である。この図面において、本発明は、停止状態で表示されている。スイッチＱは、ＯＮ（接続）位置にあり、これは水又は流体がデバイスの流入部から流出部に流れていることを示している。スイッチＱは、シリンダＮによって起動される。セレクタＰは「自動」位置にある。セレクタＰには、金属リングＯが取り付けられている。スプリング
2004522095.tif 000003
は、円形マグネットＭに圧力を加え、これを空気室Ｕの底部に配置し、これにより、小マグネットＫを、デバイスの上方縦シャフトに位置するシリンダＺの上方内部にとどめる。シリンダＺは、ピストンＪを収容する。ピストンＪは、小マグネットＫを収容し、下端部に小ゴムストッパＩを収容する。小ゴムストッパＩは、穴Ｈから引き離されており、水又は流体はダクトＳを通じて自由に流れるため、これにより、圧力室Ｖ及びＷの水又は液体の圧力が解放される。ゴム膜Ｄ及びＦは、水又は流体の通過によって駆動される。ゴム膜Ｄ及びＦは、バルブシートＹ及びＸから分離される。デバイス流入部からの水は、圧力室Ｗに到達し、ここで二方向に分割される。第一に、大部分の水又は流体は、デバイスの流出部ダクトから放出される。第二に、圧力室Ｗの水又は流体は、圧力室Ｖへ送られ、ダクトＳを通じ、その後、デバイスの流出部を通じて放出される。
【０００６】
図２は、水又は任意の流体の流出を制御する、機械的機能を備えた、設置が容易な自動／手動デバイスのレイアウト及び断面図である。この図面において、本発明は、ダブルチューブＴにより検出される水又は流体の高さによって起動された状態で表示されている。スイッチＱは、ＯＦＦ位置（機能切断）にあり、これは水又は流体が循環していないことを示している。スイッチＱは、シリンダＮによって起動される。セレクタＰは、「自動」位置にある。スプリング
2004522095.tif 000004
は、円形マグネットＭが上昇する時、圧縮される。円形マグネットＭ及びシリンダＮは、静水圧に敏感なゴム膜Ｌによって押し上げられる。膜Ｌは、ダブルチューブＴがもたらす空気室Ｕの静水圧によって押し上げられる。ダブルチューブＴの静水圧は、突出ダクト１'により中継され、ゴムホースＲを通じて入口ダクト１から空気室Ｕ内に伝達される。円形マグネットＭは、上昇した時、小マグネットＫの位置を変化させ、これをデバイスの上方縦シャフトに位置するシリンダＺの下方部分へと移動させる。シリンダＺは、ピストンＪを収容する。ピストンＪは、小マグネットＫを収容し、下端部に小ゴムストッパＩを収容する。小ゴムストッパＩは、穴Ｈを塞いでいる。穴Ｈが塞がれているため、水又は流体は、ダクトＳを通じて流れない。圧力室Ｖ及びＷにおいて、水又は流体の圧力は、流入部の圧力と等しくなるため、膜Ｄ及びＦには圧力が加わる。膜Ｄ及びＦは、バルブシートＸ及びＹにおいて、水又は液体の流れを遮断するため、対象の容器又はリザーバが満たされると、水又は液体の流れは自動的に遮断される。デバイスを取り外すことなく、水又は液体を取得するためには、スイッチＱをＯＮ位置に保持することで、これを手動操作できる。手を離すと、スイッチＱは、ダブルチューブＴによって検出された水又は流体の高さにより、自動的にＯＦＦ位置へと戻る（図２参照）。
【０００７】
図３は水又は任意の流体の流出を制御する、機械的機能を備えた、設置が容易な自動／手動デバイスのレイアウト及び断面図である。この図面において、本発明は、図２と同様に起動された状態で表示されており、変化している点は、１）スイッチＰが「手動」位置にあることと、２）ダブルチューブＴに水又は流体の高さが存在しておらず、そのため、静水圧が存在していないことと、３）金属リングＯが、磁力によって円形マグネットＭに付いていることである。前記の変化が存在する状態で、スイッチＱは、デバイスを起動又は停止させるために、手動で操作することができる。スイッチＱを手動で操作し、図１に示すようなＯＮ位置（接続）のままにした場合、デバイスは、ダブルチューブＴによって検出される水又は流体の高さによって起動される（図２参照）。
【発明を実施するための最良の形態】
【０００８】
水又は任意の流体の流出を制御する、機械的機能を備えた、設置が容易な自動／手動デバイスは、図１において確認できるように、水又は他の流体の受け入れ又は流入を目的とする部分Ａを備え、このＡは、ねじ込み可能な端部と、望ましいあらゆる方向へ向けることが可能であり、デバイスのハウジングＣに取り付けられるアームＢとを有するストリーム流入部である。水又は他の流体が通過するダクトＢは、圧力室Ｗにつながっており、圧力室Ｗは、第一のゴム膜Ｄを収容し、第一のゴム膜Ｄは、小直径開口部２を有する。ダクトＢの横方向の部分は、圧力室Ｖ及びシリンダＺに連絡している。圧力室Ｖは、第二のゴム膜Ｆを収容し、第二のゴム膜Ｆは、小直径開口部３を有する。第二のゴム膜Ｆは、部分Ｇによって支持され、更に部分Ｇも小開口部Ｈを有する。シリンダーＺはピストンＪを収容している。ピストンＪは、小マグネットＫ及びゴムストッパＩを収容しており、ゴムストッパＩは、小さなミリメータの穴Ｈを塞ぐ目的で、ピストンＪの外部下端部に位置しており、穴Ｈは、縦シャフトに位置し、ダクトＳへ向かう水又は流体の流れを可能にする。第三のゴム膜Ｌも、確認することが可能であり、これは、円筒形マグネットＭ及びシリンダＮの支持部の役割を果たす。シリンダＮは、必要に応じてＯＮ又はＯＦＦの位置にあるコントローラＱと連絡する突出部を有する。図１において上方に進むと、スプリング
2004522095.tif 000005
が確認でき、更に、「手動」又は「自動」位置を選択するセレクタＰのアームに取り付けられた金属リングＯも確認できる。ゴムチューブＲも確認可能であり、これは、マグネットＭ及びＫの移動を発生させるのに必要な静水圧を加えるためにダクト１及び１’を接合し、これにより、本発明において述べた目的が観察されるようになる。更に図１では、ダブルチューブＴが確認でき、これは、両チューブ共に、銅にすることが可能であり、或いは、部分的（内部又は外部）にのみ、プラスチック材料（ポリマ又はＰＶＣ）である他の部分を伴う。注入する容器にデバイスを掛けるために使用するフックも確認することができる。ゴムホースＲを接続する開口部１’に加え、ダブルチューブＴは、その上部に滑らかな穴を有しており、デバイスの同じ出口開口部に取り付け又は接続することが可能であるため、小さな開口部又はアクセス部を有する容器において、デバイスの機能性を高めることが可能であり、更に、完全に機械的な機構により機能させるために、大きな静水圧を必要とせず、電池（標準又は充電式）、太陽電池、電気、電子部品又は電子接続部、或いはこれに類似する品目といった、エネルギ源を必要としない。
【図面の簡単な説明】
【０００９】
【図１】水又は任意の流体の流出を制御する、機械的機能を備えた、設置が容易な自動／手動デバイスのレイアウト及び断面図である（スイッチＱはＯＮ位置、セレクタＰは「自動」位置）。
【図２】水又は任意の流体の流出を制御する、機械的機能を備えた、設置が容易な自動／手動デバイスのレイアウト及び断面図である（スイッチＱはＯＦＦ位置、セレクタＰは「自動」位置）。
【図３】水又は任意の流体の流出を制御する、機械的機能を備えた、設置が容易な自動／手動デバイスのレイアウト及び断面図である（スイッチＱはＯＦＦ位置、セレクタＰは「手動」位置）。
【符号の説明】
【００１０】
１    入口、入口ダクト
１’  ダクト、突出ダクト
２    小直径開口部
３    小直径開口部
Ａ    部分
Ｂ    ダクト
Ｃ    ハウジング
Ｄ    ゴム膜
Ｅ    部分
Ｆ    ゴム膜
Ｇ    部分
Ｈ    小開口部、穴
Ｉ    小ゴム部、ゴムストッパ
Ｊ    ピストン、シリンダ
Ｋ    マグネット、小マグネット
Ｌ    ゴム膜、膜
Ｍ    マグネット、円形マグネット
Ｎ    シリンダ
2004522095.tif 000006
スプリング
Ｏ    金属リング
Ｐ    セレクタ
Ｑ    スイッチ、コントローラ
Ｒ    ゴムホース、ゴムチューブ
Ｓ    ダクト
Ｔ    ダブルチューブ
Ｕ    空気室
Ｖ    圧力室
Ｘ    バルブシート
Ｙ    バルブシート
Ｚ    シリンダ
Ｗ    圧力室
【図１】
2004522095.tif 000008
【図２】
2004522095.tif 000009
【図３】
2004522095.tif 000010
【国際公開パンフレット】
2004522095.tif 000011
2004522095.tif 000012
2004522095.tif 000013
2004522095.tif 000014
2004522095.tif 000015
2004522095.tif 000016
2004522095.tif 000017
2004522095.tif 000018
2004522095.tif 000019
2004522095.tif 000020
2004522095.tif 000021
2004522095.tif 000022
【国際調査報告】
2004522095.tif 000023
2004522095.tif 000024
2004522095.tif 000025
2004522095.tif 000026